(57)【特許請求の範囲】
【請求項１】
二種類の針を保護する二連針保護容器であって、二種類の筒状容器のいずれかの針挿入部付近の外側壁に密着して環状連結部を有し、該環状連結部の嵌合部は、底部に孔を有するキャップ状体からなり、更に前記嵌合部の内壁に少なくとも１個の嵌合用凸部又は凹部を有し、該嵌合部に他方の筒状容器の先端を挿入して連結することを特徴とする二連針保護容器。
【請求項２】
他方の筒状容器の先端部外周壁の嵌合部に少なくとも１個の嵌合用凸部又は凹部を有することを特徴とする請求項１に記載の二連針保護容器。
【請求項３】
嵌合部に凹部を有する場合は、他方は凸部であることを特徴とする請求項１又は請求項２に記載の二連針保護容器。
【請求項４】
少なくとも筒状容器の針挿入部付近の内壁に凸部を有することを特徴とする請求項１乃至請求項３のいずれかに記載の二連針保護容器。
【発明の詳細な説明】
【０００１】
【発明の属する技術分野】
本発明は、医療分野、特に人工透析用血液回路や輸液セット等において用いられる二連針保護容器に関し、更に詳しくは簡単に製造でき、二種類の針を保護しかつ使用する時に、効率的である二連針保護容器に関するものである。
【０００２】
【従来の技術】
従来、人工透析用血液回路や輸液セット等（以下、人工透析等という。）においては、各種のプロテクター即ち保護用筒容器が用いられている。近年、生理食塩水等の容器がプラスチックボトルからソフトバッグに移行しつつある中で、エアー針を組み込む方法は今だに需要があり、例えば、図６の側面図に示されるように、プロテクターＩＩの一方の端部（又は基部）１１には、プラスチック針（又は瓶針）Ａ（図３参照）が組み込まれており、また他方の端部１２にはエアー針Ｂ（図３参照）が組み込まれている。この種のプロテクターＩＩは、病院等のユーザー側の使用方法によりエアー針Ｂが組み込まれていたり、いなかったりし、エアー針Ｂが組み込まれないときは、開放状態となっている他方の端部には発泡ウレタンやスポンジ等を挿入して塞がれている。またこの他、図７に示されるように、プラスチック針Ａとエアー針Ｂとを使用する場合には、プラスチック針Ａを保護するためのプロテクター２とエアー針Ｂを保護するためのプロテクター３とが別々に製造され、これらは、対抗して直線的に端部同士で嵌合接続されて用いられるものや図８に示される如く、プロテクター２とプロテクター３とを互いに並列に向かい合わせてセロハンテープ等を巻いて固定するものが知られている。
【０００３】
【発明が解決しようとする課題】
しかしながら、前述のごときプロテクターにおいて、図６に記載のものは、エアー針Ｂを必要としない用途に使用するときは、予め他端の開放状態をウレタンやスポンジ等で塞ぐ必要があり製造上煩雑であるばかりでなく、全長が、長いため蒸気滅菌の際、曲がりが発生し、エアー針Ｂが組み込まれており、管壁に接触し切りかすを発生させる恐れがあるという問題がある。また図７に記載のものは、プロテクター２とプロテクター３とを直線的に嵌合する点で、図６と同様に長さが長くなるので、取り扱いが容易でないという問題がある。更に図８に記載のものは、プロテクター２とプロテクター３とを互いに並列に向かい合わせてセロハンテープ等を巻いて固定する点で、製造上煩雑となるばかりでなく商品の見栄えがよくないという問題がある。
【０００４】
そこで、本発明者等は、上記の問題点について種々検討したところ、プロテクター２とプロテクター３とを互いに並列に向かい合わせ、いずれかのプロテクターの針挿入部付近（以下、基部という。）に環状連結部を設け、該連結部に他方のプロテクターの先端を勘合することにより固定することにより、全体の長さが半分となるため容器全体がコンパクトとなるばかりでなく、蒸気滅菌による曲がりが防止され、外観上も見栄えがよく商品価値が向上すると共に金型成形が容易でしかも金型自体もコンパクト化でき、低コスト化が実現できることを見出し、ここに本発明をなすに至った。
【０００５】
したがって、本発明が解決しようとする課題は、蒸気滅菌時の曲がりが防止でき、全体がコンパクトとなり取り扱いが容易となり、商品価値が向上すると共に金型成形が容易でしかも金型自体もコンパクト化でき、経済的である二連針保護容器を提供することにある。
【０００６】
【課題を解決するための手段】
本発明の上記課題は、以下の欠く発明によって達成される。
【０００７】
【請求項１】二種類の針を保護する二連針保護容器であって、二種類の筒状容器のいずれかの針挿入部付近の外側壁に密着して環状連結部を有し、該環状連結部の嵌合部は、底部に孔を有するキャップ状体からなり、更に前記嵌合部の内壁に少なくとも１個の嵌合用凸部又は凹部を有し、該嵌合部に他方の筒状容器の先端を挿入して連結することを特徴とする二連針保護容器。
【請求項２】他方の筒状容器の先端部外周壁の嵌合部に少なくとも１個の嵌合用凸部又は凹部を有することを特徴とする請求項１に記載の二連針保護容器。
【請求項３】嵌合部に凹部を有する場合は、他方は凸部であることを特徴とする請求項１又は請求項２に記載の二連針保護容器。
【請求項４】少なくとも筒状容器の針挿入部付近の内壁に凸部を有することを特徴とする請求項１乃至請求項３のいずれかに記載の二連針保護容器。
【０００８】
請求項１に記載の二連針保護容器は、二種類の針を保護する二連針保護容器であって、二種類の筒状容器のいずれかの針挿入部付近の外側壁に密着して環状連結部を有し、該環状連結部の嵌合部は、底部に孔を有するキャップ状体からなり、更に前記嵌合部の内壁に少なくとも１個の嵌合用凸部又は凹部を有し、該嵌合部に他方の筒状容器の先端を挿入して連結することを特徴とするもので、該筒状容器の環状連結部に他方の筒状容器の先端を挿入して連結することにより、蒸気滅菌時の曲がりが防止でき、全体がコンパクトとなり取り扱いが容易となり、商品価値が向上すると共に金型成形が容易でしかも金型自体もコンパクト化でき、経済的であるという格別優れた効果を奏するものであり、また環状連結部の嵌合部の内壁の周囲に環状に少なくとも１個の嵌合用凸部又は凹部を有することにより、嵌合に際し、固定が十分安定して行われる。
【０００９】
また請求項２において、他方の筒状容器の先端部外周壁の嵌合部に環状に少なくとも１個の嵌合用凸部又は凹部を有することにより、請求項１に記載の発明と同様に嵌合に際し、固定が十分に安定して行われる。更に請求項３において、嵌合部に凹部を有する場合は、他方は凸部であることにより、嵌合による接続が確実でしかも的確に固定されるという優れた効果を奏するものである。請求項４の発明において、少なくとも筒状容器の針挿入部付近に凸部を有することにより、針のハズレ防止が得られる。
【００１０】
【発明の実施の形態】
以下、本発明を図面を用いて更に具体的に説明する。図１は、本発明の二連針保護容器を示す斜視図である。図２は、図１の二連針保護容器に、プラスチック針及びエアー針が挿入されているとことを示す斜視図である。更に図３は、図２の展開図である。図４は、針挿入部の固定用凸部を示す二連針保護容器の部分断面図である。図５は、環状連結部の連結状態を示す断面図である。図１乃至図３において、本発明の二連針保護容器Ｉは、プロテクター３の基部３１に環状連結部４を有しており、この環状連結部４にプロテクター２の先端部２２が挿入することにより嵌合している。この際、プロテクター２にはプラスチック針Ａが挿入保持されている。このプラスチック針Ａの後部にはフランジ６を有しているので、このフランジ６の面にプロテクター３の先端が密着していっそう良好な嵌合状態を維持している。またプロテクター３には、エアー針Ｂが収納されている。このように形成された二連針保護容器Ｉは、長さが短くなり、したがって全体がコンパクトとなるので、蒸気滅菌時の曲がりが防止でき、商品価値が向上するばかりでなく取り扱いが容易となる。更に金型成形が容易でしかも金型自体もコンパクト化でき、経済的であるという格別優れた効果を奏するものである。
【００１１】
図４は、挿入保持した針の外れ防止又は抜け防止として凸部を設けたもので、部分断面図として示されている。図４のａにおいて、プロテクター３の基部３１に環状連結部４が設けられており、この内面に凸部４１を有している。この環状連結部４にプロテクター２の先端部２２が挿入され、凸部４１が押圧された状態で先端部２２が嵌合される。その結果、抜け難くなりハズレ防止となる。図４のｂでは、プロテクター２の基部内面に凸部２３を有しており、ここにエアー針Ｂを挿入すると、凸部２３が押圧された状態でエアー針Ｂを支持して抜け防止となる。
【００１２】
図５は、環状連結部の内面に有する凹凸による嵌合状態が示されており、図５のａは、プロテクター２の先端部２２に凹部２３を有し、この凹部２３は環状連結部４の内面にある凸部４１と嵌合する。また図５のｂは、プロテクター２の先端部２２に凸部２４を有し、この凸部２４は環状連結部４の内面にある凸部４１を超えて挿入され嵌合する。これにより十分安定した嵌合状態を得ることができ、運搬中や使用中に嵌合が外れることがない。この二連針保護容器Ｉは、通常、プロテクター２にプラスチック針Ａを収納し、かつプロテクター３にはエアー針Ｂが収納されて使用される。しかしながら、ユーザー等の使用目的によりプロテクター２のみを使用する場合、プロテクター３のみを使用する場合等何ら使用方法には制限がなく、いずれの使用態様も可能である。本発明において、ハズレ防止として設けられる凸部又は凹部の形状は、各種の形状を有していてもよい。凸部２４、２５、４１、４２の形状としては、環状連結部４の内面及びプロテクター２又は３の内面に筒方向に直角に連続又は不連続であって、環状に設けられてもよい。また凹部２３はプロテクター２の外面に筒方向に直角に連続又は不連続であって、環状に設けられてもよい。
【００１３】
本発明の二連針保護容器は、医療分野、特に人工透析用血液回路や輸液セット等に使用されるが、この他、医療用針の保護容器として、これら以外の医療分野における各種針の保護や保持に使用することができる。
【００１４】
【発明の効果】
本発明の二連針保護容器は、二種類の針を保護する二連針保護容器であって、二種類の筒状容器のいずれかの針挿入部付近の外側壁に密着して環状連結部を有し、該環状連結部の嵌合部は、底部に孔を有するキャップ状体からなり、更に前記嵌合部の内壁に少なくとも１個の嵌合用凸部又は凹部を有し、該嵌合部に他方の筒状容器の先端を挿入して連結することを特徴とするもので、該筒状容器の環状連結部に他方の筒状容器の先端を挿入して連結することにより、蒸気滅菌時の曲がりが防止でき、全体がコンパクトとなり取り扱いが容易となり、商品価値が向上すると共に金型成形が容易でしかも金型自体もコンパクト化でき、経済的であるという格別優れた効果を奏するものであり、また環状連結部の嵌合部の内壁の周囲に環状に少なくとも１個の嵌合用凸部又は凹部を有することにより、嵌合に際し、固定が十分安定して行われる。
【００１５】
本発明の二連針保護容器において、他方の筒状容器の先端部外周壁の嵌合部に環状に少なくとも１個の嵌合用凸部又は凹部を有することにより、請求項１に記載の発明と同様に嵌合に際し、固定が十分に安定して行われる。更に本発明において、嵌合部に凹部を有する場合は、他方は凸部であることにより、嵌合による接続が確実でしかも的確に固定されるという優れた効果を奏するものである。本発明の二連針保護容器において、少なくとも筒状容器の針挿入部付近に凸部を有することにより、針のハズレ防止が得られる。
【図面の簡単な説明】
【図１】本発明の二連針保護容器を示す斜視図である。
【図２】本発明の二連針保護容器に針を収納したところを示す斜視図である。
【図３】図２二連針保護容器に針を収納したところを示す展開図である。
【図４】本発明における針挿入部の固定用凸部を示す二連針保護容器の部分断面図である。
【図５】本発明における環状連結部の連結状態を示す断面図である。
【図６】従来の針保護容器を示す断面図である。
【図７】従来の針保護容器の連結形態の別の例を示す断面図である。
【図８】従来の針保護容器の連結形態の更に別の例を示す断面図である。
【符号の説明】
２、３  プロテクター              ２３  凹部
４  環状連結部                    １３、２４、２５、４１、４２  凸部
５  補強リブ                      Ｉ  二連針保護容器
６  フランジ                      ＩＩ  従来のプロテクター
８  接着テープ                    Ａ  プラスチック針
１１、２１、３１  端部又は基部    Ｂ  エアー針
１２、２２、３２  先端部
【図１】
0003603093.tif 000002
【図２】
0003603093.tif 000003
【図３】
0003603093.tif 000004
【図４】
0003603093.tif 000005
【図５】
0003603093.tif 000006
【図６】
0003603093.tif 000007
【図７】
0003603093.tif 000008
【図８】
0003603093.tif 000009